(57)【特許請求の範囲】
【請求項１】
（Ａ）下記一般式（１）で表される脂肪酸塩と、
Ｒ１ＣＯＯＭ  ・・・  一般式（１）
ただし、前記一般式（１）中、Ｒ１は、炭素数５〜２５の直鎖又は分岐鎖の一価炭化水素基を表し、前記一価炭化水素基は、飽和及び不飽和のいずれかであり、かつ水素原子の一部が水酸基で置換されていてもよい。Ｍは、アルカリ金属及びアルカノールアミンのいずれかを表す。
（Ｂ）アミノプロピオン酸型両性界面活性剤２質量％〜１２質量％と、
（Ｃ）ベタイン型両性界面活性剤と、
（Ｄ）糖アルコール以外の多価アルコールと、
を含有し、
前記（Ｄ）糖アルコール以外の多価アルコールが、プロピレングリコール、ジプロピレングリコール、１，３−ブチレングリコール、グリセリン、及びデカグリセリンから選択される少なくとも１種であり、
前記（Ｂ）アミノプロピオン酸型両性界面活性剤の含有量（質量％）と、前記（Ｃ）ベタイン型両性界面活性剤の含有量（質量％）との質量比（Ｂ／Ｃ）が、０．５〜１０であることを特徴とするフォーマー容器入り液体洗浄剤組成物。
【請求項２】
（Ｂ）アミノプロピオン酸型両性界面活性剤の含有量（質量％）と、（Ｃ）ベタイン型両性界面活性剤の含有量（質量％）との質量比（Ｂ／Ｃ）が、２〜５である請求項１に記載のフォーマー容器入り液体洗浄剤組成物。
【請求項３】
（Ａ）脂肪酸塩の含有量が５質量％〜２０質量％であり、
（Ｃ）ベタイン型両性界面活性剤の含有量が２質量％〜４質量％であり、
（Ｄ）糖アルコール以外の多価アルコールの含有量が２５質量％〜３５質量％である請求項１から２のいずれかに記載のフォーマー容器入り液体洗浄剤組成物。
【請求項４】
（Ａ）脂肪酸塩が、少なくともミリスチン酸塩を含有する請求項１から３のいずれかに記載のフォーマー容器入り液体洗浄剤組成物。
【発明の詳細な説明】
【技術分野】
【０００１】
本発明は、フォーマー容器入り液体洗浄剤組成物に関する。
【背景技術】
【０００２】
従来より、液体洗浄剤組成物の洗浄基剤としては、例えば、脂肪酸塩、ポリオキシエチレンアルキルエーテル硫酸塩、モノアルキルリン酸塩などが知られている。また、液体洗浄分野において、泡は、一種の演出効果として洗浄したことに対して満足感を与えることができる。前記脂肪酸塩は、起泡力、及び泡質のきめ細かさに優れているため、多くの液体洗浄剤組成物に配合されている（例えば、特許文献１参照）。しかし、前記脂肪酸塩は、洗浄力が強いため、すすぎ後に肌がかさついたり、ｐＨの経時変化、温度変化等で結晶が析出し易くなり、フォーマー容器に充填して用いた場合に、前記フォーマー容器のポンプの多孔質膜体に目詰まりが発生し、前記ポンプをスムーズに押すことが困難になるという課題があった。【０００３】
このような課題を解決するため、例えば、脂肪酸塩を含有せず、（Ａ)アミノプロピオン酸系両性界面活性剤と、（Ｂ）ベタイン系両性界面活性剤と、（Ｃ）Ｎ−アシルアミノ酸塩、Ｎ−アシルメチルタウリン塩、及びアルキルスルホコハク酸塩の少なくともいずれかとを組み合わせ、かつ（Ｄ）糖アルコールを含有することで、泡質がきめ細かく、すすぎ後の肌のかさつきを抑えることができる皮膚洗浄料が提案されている（例えば、特許文献２参照）。しかし、この提案では、泡の弾力感、及び泡の持続性について改善の余地があり、すすぎ後にぬるつきが残り、すすぎ後のさっぱり感が不十分であるという課題があった。【０００４】
したがって、泡の弾力性と泡の持続性が良好であり、フォーマー容器のポンプが目詰まりしにくく、すすぎ後の肌がかさつかず、すすぎ後にさっぱり感が得られるフォーマー容器入り液体洗浄剤組成物の提供が望まれている。
【先行技術文献】
【特許文献】
【０００５】
【特許文献１】特開２００６−１８３０３９号公報
【特許文献２】特開２０１１−１４８７７２号公報
【発明の概要】
【発明が解決しようとする課題】
【０００６】
本発明は、従来における前記諸問題を解決し、以下の目的を達成することを課題とする。即ち、本発明は、泡の弾力性と泡の持続性が良好であり、フォーマー容器のポンプが目詰まりしにくく、すすぎ後の肌がかさつかず、すすぎ後にさっぱり感が得られるフォーマー容器入り液体洗浄剤組成物を提供することを目的とする。
【課題を解決するための手段】
【０００７】
前記課題を解決するため本発明者が鋭意検討を重ねた結果、（Ａ）所定の脂肪酸塩と、（Ｂ）アミノプロピオン酸型両性界面活性剤２質量％〜１２質量％と、（Ｃ）ベタイン型両性界面活性剤と、（Ｄ）糖アルコール以外の多価アルコールと、を含有し、所定の質量比（Ｂ／Ｃ）であるフォーマー容器入り液体洗浄剤組成物が、各成分の相乗効果によって、泡の弾力性と泡の持続性が良好であり、フォーマー容器のポンプが目詰まりしにくく、すすぎ後の肌がかさつかず、すすぎ後にさっぱり感が得られることを知見した。【０００８】
本発明は、本発明者による前記知見に基づくものであり、前記課題を解決するための手段としては、以下の通りである。即ち、
＜１＞  （Ａ）下記一般式（１）で表される脂肪酸塩と、
Ｒ１ＣＯＯＭ  ・・・  一般式（１）
ただし、前記一般式（１）中、Ｒ１は、炭素数５〜２５の直鎖又は分岐鎖の一価炭化水素基を表し、前記一価炭化水素基は、飽和、及び不飽和のいずれかであり、かつ水素原子の一部が水酸基で置換されていてもよい。Ｍは、アルカリ金属及びアルカノールアミンのいずれかを表す。
（Ｂ）アミノプロピオン酸型両性界面活性剤２質量％〜１２質量％と、
（Ｃ）ベタイン型両性界面活性剤と、
（Ｄ）糖アルコール以外の多価アルコールと、
を含有し、
前記（Ｂ）アミノプロピオン酸型両性界面活性剤の含有量（質量％）と、前記（Ｃ）ベタイン型両性界面活性剤の含有量（質量％）との質量比（Ｂ／Ｃ）が、０．５〜１０であることを特徴とするフォーマー容器入り液体洗浄剤組成物である。
＜２＞  （Ｂ）アミノプロピオン酸型両性界面活性剤の含有量（質量％）と、（Ｃ）ベタイン型両性界面活性剤の含有量（質量％）との質量比（Ｂ／Ｃ）が、２〜５である前記＜１＞に記載のフォーマー容器入り液体洗浄剤組成物である。
＜３＞  （Ａ）脂肪酸塩の含有量が５質量％〜２０質量％であり、
（Ｃ）ベタイン型両性界面活性剤の含有量が２質量％〜４質量％であり、
（Ｄ）糖アルコール以外の多価アルコールの含有量が２５質量％〜３５質量％である前記＜１＞から＜２＞のいずれかに記載のフォーマー容器入り液体洗浄剤組成物である。
＜４＞  （Ａ）脂肪酸塩が、少なくともミリスチン酸塩を含有する前記＜１＞から＜３＞のいずれかに記載のフォーマー容器入り液体洗浄剤組成物である。
【発明の効果】
【０００９】
本発明によれば、従来における前記諸問題を解決し、前記目的を達成することができ、泡の弾力性と泡の持続性が良好であり、フォーマー容器のポンプが目詰まりしにくく、すすぎ後の肌がかさつかず、すすぎ後にさっぱり感が得られるフォーマー容器入り液体洗浄剤組成物を提供することができる。
【発明を実施するための形態】
【００１０】
（フォーマー容器入り液体洗浄剤組成物）
本発明のフォーマー容器入り液体洗浄剤組成物は、（Ａ）脂肪酸塩と、（Ｂ）アミノプロピオン酸型両性界面活性剤と、（Ｃ）ベタイン型両性界面活性剤と、（Ｄ）糖アルコール以外の多価アルコールを含有してなり、更に必要に応じてその他の成分を含有してなる。
【００１１】
＜（Ａ）脂肪酸塩＞
前記（Ａ）成分の脂肪酸塩は、泡の弾力性、泡の持続性、すすぎ後のさっぱり感、すすぎ後の肌のかさつきのなさ、及びフォーマー容器のポンプの目詰まりのなさを向上させる洗浄基剤となる成分である。
【００１２】
前記（Ａ）成分の脂肪酸塩は、下記一般式（１）で表される。
Ｒ１ＣＯＯＭ  ・・・  一般式（１）
ただし、前記一般式（１）中、Ｒ１は、炭素数５〜２５の直鎖又は分岐鎖の一価炭化水素基を表し、前記一価炭化水素基は、飽和及び不飽和のいずれかであり、かつ水素原子の一部が水酸基で置換されていてもよい。Ｍは、アルカリ金属及びアルカノールアミンのいずれかを表す。
【００１３】
前記一般式（１）中のＲ１は、炭素数５〜２５の直鎖又は分岐鎖の一価炭化水素基を表し、泡の弾力性、泡の持続性、及びすすぎ後のさっぱり感の点から、前記炭素数は１１〜１７が好ましく、飽和であっても、不飽和であってもよい。前記炭素数が、５未満であると、泡の持続性が不十分となることがあり、２５を超えると、すすぎ後のさっぱり感が不十分となることがある。また、前記一価炭化水素基は、泡の弾力性の点から、水素原子の一部が水酸基で置換されていてもよい。
【００１４】
前記一般式（１）中のＭは、アルカリ金属又はアルカノールアミンを表す。これらの中でも、泡の弾力性、泡の持続性、及びすすぎ後のさっぱり感の点から、アルカリ金属が好ましく、カリウム、ナトリウムがより好ましく、カリウムが特に好ましい。前記アルカノールアミンとしては、例えば、モノエタノールアミン、ジエタノールアミン、トリエタノールアミン、２−アミノ−２−メチル−１−プロパノール、ジイソプロパノールアミンなどが挙げられる。
【００１５】
前記（Ａ）成分の脂肪酸塩としては、特に制限はなく、目的に応じて適宜選択することができ、例えば、ヤシ油脂肪酸塩、パーム脂肪酸塩等の天然脂肪酸塩の混合物、ヘキサン酸塩（カプロン酸塩；Ｒ１の炭素数：５）、ヘプタン酸塩、オクタン酸塩（カプリル酸塩；Ｒ１の炭素数：７）、ペラルゴン酸塩、デカン酸塩（カプリン酸塩；Ｒ１の炭素数：９）、ウンデカン酸塩、ドデカン酸塩（ラウリン酸塩；Ｒ１の炭素数：１１）、カプロレイン酸塩、ウンデシレン酸塩、ラウロレイン酸塩、２−エチルブタン酸塩、イソペンタン酸塩、２−エチルペンタン酸塩、２−エチルヘキサン酸塩、イソノナン酸塩、３，５，５−トリメチルヘキサン酸、トリデカン酸塩、テトラメチルノナン酸塩、ミリスチン酸塩（Ｒ１の炭素数：１３）、ペンタデカン酸塩、パルミチン酸塩（Ｒ１の炭素数：１５）、ステアリン酸塩（Ｒ１の炭素数：１７）、アラキン酸塩、ドコサン酸塩（ベヘニン酸塩；Ｒ１の炭素数：２１）、リグノセリン酸塩、セロチン酸塩、ミリストレイン酸塩、パルミトレイン酸塩、オレイン酸塩（Ｒ１の炭素数：１７）、エライジン酸塩、ゴンドイン酸塩、エルカ酸塩、セラコレイン酸塩、リノール酸塩（Ｒ１の炭素数：１７）、アラキジン酸塩、リノエライジン酸塩、リノレン酸塩、アラキドン酸塩、２−ヘキシルデカン酸塩、イソステアリン酸塩（Ｒ１の炭素数：１７）、１２−ヒドロキシステアリン酸塩などが挙げられる。これらは、１種単独で使用してもよく、２種以上を併用してもよい。
【００１６】
これらの中でも、泡の持続性、及びすすぎ後のさっぱり感の点から、ラウリン酸塩、ミリスチン酸塩、パルミチン酸塩、ステアリン酸塩、イソステアリン酸塩、オレイン酸塩が好ましく、ラウリン酸カリウム、ミリスチン酸カリウム、パルミチン酸カリウム、ステアリン酸カリウム、イソステアリン酸カリウム、オレイン酸カリウムがより好ましく、ラウリン酸カリウム、ミリスチン酸カリウム、パルミチン酸カリウムが更に好ましく、ラウリン酸カリウム、ミリスチン酸カリウムが特に好ましい。
【００１７】
前記（Ａ）成分の脂肪酸塩は、２種以上を併用することが好ましい。前記２種以上を併用する場合には、泡の弾力性、すすぎ後の肌のかさつきのなさ、及びフォーマー容器のポンプの目詰まりのなさの点から、ラウリン酸カリウムとミリスチン酸カリウムとの併用がより好ましい。前記ラウリン酸カリウムと前記ミリスチン酸カリウムとを併用する場合の質量比（ラウリン酸カリウム／ミリスチン酸カリウム）は、１〜８が好ましく、１〜５がより好ましい。前記質量比（ラウリン酸カリウム／ミリスチン酸カリウム）が、１未満、又は８を超えると、泡の弾力性、すすぎ後の肌のかさつきのなさ、及びフォーマー容器のポンプの目詰まりのなさが不十分となることがある。
【００１８】
前記ラウリン酸カリウムの含有量は、泡の弾力性、及びすすぎ後のさっぱり感の点から、フォーマー容器入り液体洗浄剤組成物全量に対して、１質量％〜１５質量％が好ましく、６質量％〜１０質量％がより好ましい。前記含有量が、１質量％未満であると、泡の弾力性が不十分となることがあり、１５質量％を超えると、すすぎ後に肌のかさつきを生じることがある。
また、前記ミリスチン酸カリウムの含有量は、泡の弾力性、及びすすぎ後のさっぱり感の点から、フォーマー容器入り液体洗浄剤組成物全量に対して、０．５質量％〜１２質量％が好ましく、２質量％〜６質量％がより好ましい。前記含有量が、０．５質量％未満であると、泡の弾力性が不十分となることがあり、１２質量％を超えると、すすぎ後に肌のかさつきを生じることがある。
前記ラウリン酸カリウム及び前記ミリスチン酸カリウムの合計含有量は、泡の持続性、すすぎ後のさっぱり感、及びすすぎ後の肌のかさつきのなさの点から、フォーマー容器入り液体洗浄剤組成物全量に対して、５質量％〜２０質量％が好ましい。前記含有量が、５質量％〜２０質量％であると、泡の持続性に優れ、すすぎ後のさっぱり感、及びすすぎ後の肌のかさつきのなさが良好なフォーマー容器入り液体洗浄剤組成物を得ることができる。
【００１９】
前記（Ａ）成分の脂肪酸塩は、脂肪酸塩として配合することも可能であるが、脂肪酸と、水酸化カリウム、及びアルカノールアミンのいずれかを別々に、配合槽に添加して中和反応させて脂肪酸塩とすることもできる。
【００２０】
前記（Ａ）成分の脂肪酸塩の含有量は、泡の持続性、泡の弾力性、すすぎ後のさっぱり感、すすぎ後の肌のかさつきのなさ、及びフォーマー容器のポンプの目詰まりのなさの点から、フォーマー容器入り液体洗浄剤組成物全量に対して、２質量％〜２５質量％が好ましく、５質量％〜２０質量％がより好ましい。前記含有量が、２質量％未満であると、泡の持続性、泡の弾力性、及びすすぎ後のさっぱり感が不十分となることがあり、２５質量％を超えると、すすぎ後に肌のかさつきを生じ、フォーマー容器のポンプの目詰まりのなさが不十分となることがある。
【００２１】
＜（Ｂ）アミノプロピオン酸型両性界面活性剤＞
前記（Ｂ）成分のアミノプロピオン酸型両性界面活性剤は、泡の弾力性、すすぎ後の肌のかさつきのなさ、及び泡の持続性を向上させるために含有されている。
【００２２】
前記（Ｂ）成分のアミノプロピオン酸型両性界面活性剤としては、例えば、アルキルアミノプロピオン酸塩などが挙げられる。前記アルキルアミノプロピオン酸塩としては、例えば、下記一般式（Ｂ１）、及び下記一般式（Ｂ２）のいずれかで表される。
【化１】
0006534382.tif 000002
ただし、前記一般式（Ｂ１）中、Ｒ２は炭素数７〜２３の飽和、又は不飽和のアルキル基、Ｍ２はアルカリ金属、及びアルカノールアミンのいずれかを表す。
【００２３】
【化２】
0006534382.tif 000003
ただし、前記一般式（Ｂ２）中、Ｒ３は炭素数１２〜１８の飽和、又は不飽和のアルキル基、Ｍ３はアルカリ金属、及びアルカノールアミンのいずれかを表す。
【００２４】
前記一般式（Ｂ１）中のアルキル基としては、例えば、カプリリル基、カプリル基、ラウリル基、ミリスチル基、セチル基、ステアリル基、アラキル基、ベヘニル基、オレイル基、リノレイル基、リノレニル基などが挙げられる。これらは、１種単独で使用してもよく、２種以上を併用してもよい。
【００２５】
前記一般式（Ｂ２）中のアルキル基としては、例えば、カプリリル基、カプリル基、ラウリル基、ミリスチル基、セチル基、ステアリル基、アラキル基、ベヘニル基、オレイル基、リノレイル基、リノレニル基などが挙げられる。これらは、１種単独で使用してもよく、２種以上を併用してもよい。
【００２６】
前記一般式（Ｂ１）、及び前記一般式（Ｂ２）中のＭ２、及びＭ３としては、例えば、ナトリウム、カリウム等のアルカリ金属、モノエタノールアミン、ジエタノールアミン、トリエタノールアミン、２−アミノ−２−メチル−１−プロパノール、ジイソプロパノールアミン等のアルカノールアミンなどが挙げられる。これらは、１種単独で使用してもよく、２種以上を併用してもよい。
【００２７】
前記アルキルアミノプロピオン酸塩としては、例えば、ラウリルアミノプロピオン酸ナトリウム、ラウリルアミノプロピオン酸トリエタノールアミン、ラウリルアミノジプロピオン酸ナトリウム、ラウリルアミノジプロピオン酸トリエタノールアミン、ヤシ油脂肪酸アシル−Ｎ−カルボキシエチル−Ｎ−ヒドロキシエチルエチレンジアミンナトリウム、ヤシ油脂肪酸アシル−Ｎ−カルボキシエトキシエチル−Ｎ−エチルエチレンジアミン二ナトリウム、パーム核油脂肪酸アシル−Ｎ−カルボキシエチル−Ｎ−ヒドロキシエチルエチレンジアミンナトリウムなどが挙げられる。これらは、１種単独で使用してもよく、２種以上を併用してもよい。これらの中でも、泡の弾力性の点から、ラウリルアミノプロピオン酸ナトリウム、ラウリルアミノジプロピオン酸ナトリウムが好ましく、ラウリルアミノプロピオン酸ナトリウムがより好ましい。
【００２８】
前記（Ｂ）成分のアミノプロピオン酸型両性界面活性剤の含有量は、泡の弾力性、及びすすぎ後の肌のかさつきのなさの点から、フォーマー容器入り液体洗浄剤組成物全量に対して、２質量％〜１２質量％であり、４質量％〜１０質量％が好ましい。前記含有量が、２質量％未満であると、泡の弾力性、及び泡の持続性が不十分となることがあり、１２質量％を超えると、すすぎ後の肌のかさつきのなさが不十分となることがある。
【００２９】
＜（Ｃ）ベタイン型両性界面活性剤＞
前記（Ｃ）成分のベタイン型両性界面活性剤は、泡の弾力性、すすぎ後の肌のかさつきのなさ、及び泡の持続性を向上させるために含有されている。
前記（Ｃ）成分のベタイン型両性界面活性剤としては、例えば、イミダゾリン型（アミドアミン型）両性界面活性剤、カルボベタイン型（アルキルジメチルベタイン型、アルキルアミドベタイン型）両性界面活性剤、スルホベタイン型（アルキルスルホベタイン型、アルキルヒドロキシスルホベタイン型）両性界面活性剤などが挙げられる。これらは、１種単独で使用してもよく、２種以上を併用してもよい。これらの中でも、泡の弾力性、及び泡の持続性の点から、イミダゾリン型両性界面活性剤、カルボベタイン型両性界面活性剤が好ましく、カルボベタイン型両性界面活性剤がより好ましい。
【００３０】
前記イミダゾリン型両性界面活性剤としては、例えば、ステアロイルアミドアミン、ヤシ油アルキル−Ｎ−ヒドロキシエチルイミダゾリニウムベタイン、ヤシ油アルキル−Ｎ−カルボキシエチル−Ｎ−ヒドロキシエチルイミダゾリニウムベタインなどが挙げられる。これらの中でも、泡の弾力性、及び泡の持続性の点から、ヤシ油アルキル−Ｎ−ヒドロキシエチルイミダゾリニウムベタインが好ましい。
【００３１】
前記カルボベタイン型両性界面活性剤は、泡の弾力性の点から、アルキル基部分の炭素数が、１２〜１８の一価の炭化水素基が好ましく、１２〜１６の一価の炭化水素基がより好ましい。
前記カルボベタイン型両性界面活性剤としては、例えば、アルキルジメチルベタインとして、ラウリルジメチルアミノ酢酸ベタイン、ヤシ油アルキルジメチルアミノ酢酸ベタイン、ステアリルジメチルアミノ酢酸ベタインなどが挙げられる。アルキルアミドベタインとして、ヤシ油脂肪酸アミドプロピルベタイン、ラウリン酸アミドプロピルベタインなどが挙げられる。これらの中でも、泡の弾力性、及び泡の持続性の点から、ラウリルジメチルアミノ酢酸ベタイン、ヤシ油脂肪酸アミドプロピルベタイン、ラウリン酸アミドプロピルベタインが好ましい。
【００３２】
前記スルホベタイン型両性界面活性剤としては、例えば、アルキルスルホベタイン、アルキルヒドロキシスルホベタインなどが挙げられる。
前記アルキルスルホベタインとしては、例えば、ヤシ油脂肪酸ジメチルスルホプロピルベタイン、ラウリルスルホベタイン、ステアリルスルホベタイン、ミリスチルスルホベタインなどが挙げられる。
前記アルキルヒドロキシスルホベタインとしては、例えば、ヤシ油脂肪酸ジメチルアミノヒドロキシスルホベタイン、ラウリルジメチルアミノヒドロキシスルホベタイン、ラウリルヒドロキシスルホベタインなどが挙げられる。
【００３３】
前記（Ｃ）成分のベタイン型両性界面活性剤の含有量は、泡の弾力性、及びすすぎ後の肌のかさつきのなさの点から、フォーマー容器入り液体洗浄剤組成物全量に対して、１質量％〜５質量％が好ましく、２質量％〜４質量％がより好ましい。前記含有量が、１質量％未満であると、泡の弾力性が不十分となることがあり、５質量％を超えると、すすぎ後の肌のかさつきのなさが不十分となることがある。
【００３４】
＜質量比（Ｂ／Ｃ）＞
前記（Ｂ）成分の含有量（質量％）と、前記（Ｃ）成分の含有量（質量％）との質量比（Ｂ／Ｃ）は、泡の弾力性、泡の持続性、及びすすぎ後の肌のかさつきのなさの点から、０．５〜１０であり、２〜５が好ましい。前記質量比（Ｂ／Ｃ）が、０．５未満であると、泡の弾力性及び泡の持続性が低下することがあり、１０を超えると、すすぎ後の肌のかさつきのなさが低下することがある。
【００３５】
＜（Ｄ）糖アルコール以外の多価アルコール＞
前記（Ｄ）成分の前記糖アルコール以外の多価アルコールは、すすぎ後のさっぱり感、泡の弾力性、及びフォーマー容器のポンプの目詰まりのなさを向上させるために含有されている。
【００３６】
前記（Ｄ）成分の糖アルコール以外の多価アルコールとしては、例えば、エチレングリコール、ジエチレングリコール、ヘキシレングリコール、ポリエチレングリコール、プロピレングリコール、ジプロピレングリコール、ポリプロピレングリコール、イソプレングリコール、１，３−ブチレングリコール、グリセリン、ジグリセリン、トリグリセリン、テトラグリセリン、ヘキサグリセリン、デカグリセリン、トリメチルプロパノール、又は前記多価アルコールのエチレンオキシド付加物などが挙げられる。これらは、１種単独で使用してもよく、２種以上を併用してもよい。これらの中でも、泡の弾力性の点から、プロピレングリコール、ジプロピレングリコール、１，３−ブチレングリコール、グリセリン、デカグリセリンが好ましく、プロピレングリコール、グリセリンがより好ましい。
【００３７】
前記（Ｄ）成分の糖アルコール以外の多価アルコールの含有量は、フォーマー容器のポンプの目詰まりのなさ、泡の弾力性、及びすすぎ後のさっぱり感の点から、フォーマー容器入り液体洗浄剤組成物全量に対して、２０質量％〜５０質量％が好ましく、２５質量％〜３５質量％がより好ましい。前記含有量が、２０質量％未満であると、泡の弾力性、及びフォーマー容器のポンプの目詰まりのなさが不十分となることがあり、５０質量％を超えると、すすぎ後のさっぱり感が不十分となることがある。
【００３８】
＜その他の成分＞
前記フォーマー容器入り液体洗浄剤組成物は、前記（Ａ）〜（Ｄ）の各成分以外にも、本発明の効果を損なわない範囲で、その他の成分を配合することができる。
前記その他の成分としては、フォーマー容器入り液体洗浄剤組成物に通常用いられているものの中から適宜選択することができ、例えば、ポリオキシエチレンアルキルエーテル硫酸塩等の（Ａ）成分以外のアニオン界面活性剤；アミンオキシド、ポリオキシエチレンアルキルエーテル等のノニオン界面活性剤；前記（Ｂ）成分及び前記（Ｃ）成分以外の両性界面活性剤；油分；シリコーン類；前記（Ｄ）成分を除く低級、又は高級アルコール等のアルコール類；ラノリン誘導体、蛋白誘導体；アクリル樹脂分散液；カチオン性ポリマー、アニオン性ポリマー、ノニオン性ポリマー；ビタミン等の薬剤；殺菌剤、防腐剤、ｐＨ調整剤、酸化防止剤、金属封鎖剤、紫外線吸収剤；動植物抽出物、又はその誘導体；色素、香料、顔料；無機粉体、粘土鉱物、ナイロン、ポリエチレン等の水不溶性ポリマー粉体；水などが挙げられる。
【００３９】
−ｐＨ−
前記フォーマー容器入り液体洗浄剤組成物の２５℃におけるｐＨは、フォーマー容器のポンプの目詰まりのなさ、すすぎ後のさっぱり感、及びすすぎ後の肌のかさつきのなさの点から、９〜１１が好ましい。前記ｐＨが、９未満であると、フォーマー容器のポンプの目詰まりのなさが不十分となることがあり、１１を超えると、すすぎ後のさっぱり感、及びすすぎ後の肌のかさつきのなさが不十分となることがある。
【００４０】
前記フォーマー容器入り液体洗浄剤組成物のｐＨは、すべての成分を混合した後に最後にｐＨを確認しながら、水酸化カリウム及びクエン酸の少なくともいずれかを加えることで調整できる。より詳しくは、水酸化カリウム及びクエン酸の少なくともいずれか以外の成分の合計が約９８質量％となるように精製水をバランスして混合攪拌する。必要なら加温してもよい。混合攪拌中に水酸化カリウム及びクエン酸の少なくともいずれかの水溶液を徐々に添加し、それぞれｐＨを測定しながら目標とするｐＨまで添加する。目標ｐＨとなったところで、最後に残りの精製水を加えて、全体で１００質量％となるように水を加える。なお、前記ｐＨは、例えば、ｐＨメーター（商品名：「ＨＭ−３０Ｖ」、東亜ディーケーケー株式会社製）を用いて測定することができる。
【００４１】
−粘度−
前記フォーマー容器入り液体洗浄剤組成物は、使用する温度条件下（例えば、０℃〜５℃、又は２０℃〜２５℃など）で、前記粘度が、例えば、２００メッシュの多孔質膜体を２枚有するフォーマー容器を使用する場合、フォーマー容器のポンプの目詰まりのなさの点から、１５ｍＰａ・ｓ以下が好ましく、１ｍＰａ・ｓ〜１０ｍＰａ・ｓがより好ましい。前記粘度が、１５ｍＰａ・ｓを超えると、フォーマー容器のポンプの目詰まりのなさが不十分となることがある。
【００４２】
前記粘度は、前記フォーマー容器入り液体洗浄剤組成物を５℃、又は２５℃に調製し、例えば、ＢＬ型粘度計（ローターＮｏ．１、東京計器株式会社製）にセットし、ローターを回転数６０ｒｐｍで回転させ、ローターの回転開始から１分間後に測定することができる。
【００４３】
−フォーマー容器入り液体洗浄剤組成物の製造方法−
前記フォーマー容器入り液体洗浄剤組成物は、例えば、前記（Ａ）〜（Ｄ）成分、前記その他の成分、及び水（液体洗浄剤組成物の全体が１００質量％となるように残量配合）を混合して製造することができる。
前記フォーマー容器入り液体洗浄剤組成物を作製する装置としては、特に制限はなく、目的に応じて適宜選択することができ、例えば、剪断と全体混合ができるプロペラ、タービン、ディスパーなどの複数の攪拌羽根を備えた攪拌装置などが挙げられる。なお、前記（Ａ）〜（Ｄ）成分、及び前記その他の成分は、前記フォーマー容器入り液体洗浄剤組成物を作製するにあたり、それぞれ単独で使用してもよく、また、２種以上の成分を含む混合物の状態で使用してもよい。
【００４４】
−フォーマー容器−
前記フォーマー容器としては、前記フォーマー容器入り液体洗浄剤組成物を空気と混合して発泡状態で吐出できるものであれば特に制限はなく、目的に応じて適宜選択することができ、例えば、ポンプ部を押し下げることによって泡を吐出できるフォーマー容器などが挙げられる。このようなフォーマー容器としては、例えば、株式会社吉野工業所製などを使用することができる。
【００４５】
前記フォーマー容器は、通常、泡を形成するための多孔質膜体を有し、前記フォーマー容器入り液体洗浄剤組成物が前記多孔質膜体を通過することにより泡が形成される。前記多孔質膜体の材質としては、例えば、ナイロン、ポリエステル、ポリオレフィンなどのプラスチック材料が挙げられる。前記多孔質膜体のメッシュは、フォーマー容器のポンプの目詰まりのなさの点から、１００メッシュ以上が好ましく、１００メッシュ〜４００メッシュがより好ましく、２００メッシュ〜３５０メッシュが特に好ましい。前記多孔質膜体のメッシュが、１００メッシュ未満、又は４００メッシュを超えると、フォーマー容器のポンプの目詰まりのなさが不十分となることがある。
【００４６】
前記多孔質膜体の枚数は、フォーマー容器のポンプの目詰まりのなさの点から、２枚〜４枚が好ましい。前記多孔質膜体の枚数が、２枚未満、又は４枚を超えると、フォーマー容器のポンプの目詰まりのなさが不十分となることがある。より具体的には、特開平７−３１５４６３号公報、特開平８−２３０９６１号公報、及び特開２００５−１９３９７２号公報に記載された容器を好適に使用することができる。
【００４７】
−用途−
前記フォーマー容器入り液体洗浄剤組成物は、例えば、ハンドソープ、ボディソープ、洗顔フォームなどの製品として好適である。前記フォーマー容器入り液体洗浄剤組成物を、これらの用途に応じた通常の用量や通常の洗浄方法で使用すると、泡の弾力性と泡の持続性が良好であり、すすぎ後にさっぱり感が得られるとともに、すすぎ後の肌がかさつかず、フォーマー容器のポンプが目詰まりしにくい点で有利であり、幼児用、若い女性用、年配の人用、敏感肌の人用のフォーマー容器入り液体洗浄剤組成物として好適である。
【実施例】
【００４８】
以下、本発明の実施例を説明するが、本発明は、これらの実施例に何ら限定されるものではない。【００４９】
実施例、及び比較例の記載の各成分の含有量は、全て純分換算した値である。なお、ｐＨは、水酸化カリウムの４８質量％溶液で１０．０に調整した。前記ｐＨは、２５℃において、ｐＨメーター（商品名：「ＨＭ−３０Ｖ」、東亜ディーケーケー株式会社製）で測定した。【００５０】
［実施例１〜３５、及び比較例１〜１４］
下記表１−１〜表１−７に示す組成、及び含有量の液体洗浄剤組成物を以下の方法で調製した。即ち、（Ａ）成分、又は（Ａ）成分の比較品；（Ｄ）成分、又は（Ｄ）成分の比較品；並びに精製水を、７０℃において、パドル式攪拌機（商品名「汎用攪拌機ＢＬ１２００」、新東科学株式会社製）を用いて均一に攪拌混合した。攪拌混合をしながら、（Ｂ）成分、（Ｃ）成分、又は（Ｂ）、（Ｃ）成分の比較品；並びに残りの共通成分を添加して均一に溶解させ、最後に合計が１００質量％となるように精製水を加えた。その後、撹拌混合しながら２５℃まで冷却して、実施例１〜３５、及び比較例１〜１４の各液体洗浄剤組成物を調製した。【００５１】
次に、フォーマー容器Ａ［（２００メッシュの多孔質体膜２枚、株式会社吉野工業所製（特開２００５−１９３９７２号公報の実施例２で使用したフォーマー容器と同じ）］に、調製した実施例１〜３５、及び比較例１〜１３の各液体洗浄剤組成物を充填し、フォーマー容器入り液体洗浄剤組成物を作製した。一方、ポンプディスペンサー付き容器Ｂ（吐出量１ｍＬ（１プッシュ）、ノズル口径（内径）３．５ｍｍ、キャニオン社製）に、調製した比較例１４の液体洗浄剤組成物を充填し、ポンプディスペンサー付き容器入り液体洗浄剤組成物を作製した。【００５２】
作製した実施例１〜３５、及び比較例１〜１４の液体洗浄剤組成物について、以下のようにして、「泡の弾力性」、「泡の持続性」、「すすぎ後のさっぱり感」、「すすぎ後の肌のかさつきのなさ」、及び「ポンプの目詰まりのなさ」を評価した。結果を表１−１〜表１−７に示した。【００５３】
＜泡の弾力性＞
専門評価パネラー１０名が、左前腕、及び右手のひらを水で濡らし、水で濡らした右手のひらに、実施例１〜３５、及び比較例１〜１４の液体洗浄剤組成物０．５ｇ（０．５プッシュ）を２５℃の条件において、前記フォーマー容器Ａ、又は前記ポンプディスペンサー付き容器Ｂから泡を吐出させた。吐出した泡が付いた右の手のひらで左前腕を５秒間擦った後、下記評価基準に従って平均評価点を求め、下記判定基準に従って泡の弾力性を評価した。【００５４】
−評価基準−
５点：  泡の弾力性が非常にある。
４点：  泡の弾力性がある。
３点：  泡の弾力性がややある。
２点：  泡の弾力性がややない。
１点：  泡の弾力性がほとんどない。【００５５】
−判定基準−
◎  ：  ４．０点以上５．０点以下
○  ：  ３．０点以上４．０点未満
△  ：  ２．０点以上３．０点未満
×  ：  ２．０点未満【００５６】
＜泡の持続性＞
専門評価パネラー１０名が、左前腕、及び右手のひらを水で濡らし、水で濡らした右手のひらに、実施例１〜３５、及び比較例１〜１４の液体洗浄剤組成物０．５ｇ（０．５プッシュ）を２５℃の条件において、前記フォーマー容器Ａ、又は前記ポンプディスペンサー付き容器Ｂから泡を吐出させた。吐出した泡が付いた右の手のひらで左前腕を５秒間擦った後、泡の残存量を確認し、泡の残存量の多少によって泡の持続性を判定した。この場合、泡の残存量が多い場合を泡が長く持続すると評価し、泡の残存量が少ない場合を泡が持続しないと評価した。下記評価基準に従って平均評価点を求め、下記判定基準に従って泡の持続性を評価した。【００５７】
−評価基準−
５点：  泡が長く持続する。
４点：  泡が持続する。
３点：  泡がやや持続する。
２点：  泡の持続時間が短い。
１点：  泡が持続しない。【００５８】
−判定基準−
◎  ：  ４．０点以上５．０点以下
○  ：  ３．０点以上４．０点未満
△  ：  ２．０点以上３．０点未満
×  ：  ２．０点未満【００５９】
＜すすぎ後のさっぱり感＞
専門評価パネラー１０名が、左前腕、及び右手のひらを水で濡らし、水で濡らした右手のひらに、実施例１〜３５、及び比較例１〜１４の液体洗浄剤組成物０．５ｇ（０．５プッシュ）を２５℃の条件において、前記フォーマー容器Ａ、又は前記ポンプディスペンサー付き容器Ｂから泡を吐出させた。吐出した泡が付いた右の手のひらで左前腕を５秒間擦った。その後、流水中で約１０秒間すすぎ、タオルで水分を拭き取った後、下記評価基準に従って平均評価点を求め、下記判定基準に従ってすすぎ後のさっぱり感を評価した。【００６０】
−評価基準−
５点：  すすぎ後に非常にさっぱりした。
４点：  すすぎ後にさっぱりした。
３点：  すすぎ後に若干のぬるつきが残るが、全体的にさっぱりした。
２点：  すすぎ後に全体的にぬるつきが残り、さっぱり感が低かった。
１点：  すすぎ後に全体的にぬるつきが残り、さっぱりしなかった。【００６１】
−判定基準−
◎  ：  ４．０点以上５．０点以下
○  ：  ３．０点以上４．０点未満
△  ：  ２．０点以上３．０点未満
×  ：  ２．０点未満【００６２】
＜すすぎ後の肌のかさつきのなさ＞
専門評価パネラー１０名が、左前腕、及び右手のひらを水で濡らし、水で濡らした右手のひらに、実施例１〜３５、及び比較例１〜１４の液体洗浄剤組成物０．５ｇ（０．５プッシュ）を２５℃の条件において、前記フォーマー容器Ａ、又は前記ポンプディスペンサー付き容器Ｂから泡を吐出させた。吐出した泡が付いた右の手のひらで左前腕を１０回連続で擦った。その後、流水中で約１０秒間すすぎ、タオルで水分を拭き取った後、下記評価基準に従って平均評価点を求め、下記判定基準に従ってすすぎ後の肌のかさつきのなさを評価した。【００６３】
−評価基準−
５点：  すすぎ後の肌のかさつきが全くない。
４点：  すすぎ後の肌のかさつきがない。
３点：  すすぎ後の肌のかさつきがややない。
２点：  すすぎ後の肌のかさつきがややある。
１点：  すすぎ後の肌のかさつきがかなりある。【００６４】
−判定基準−
◎  ：  ４．０点以上５．０点以下
○  ：  ３．０点以上４．０点未満
△  ：  ２．０点以上３．０点未満
×  ：  ２．０点未満【００６５】
＜ポンプの目詰まりのなさ＞
前記ポンプフォーマー容器Ａ、又は前記ポンプディスペンサー付き容器Ｂに実施例１〜３５、及び比較例１〜１４の液体洗浄剤組成物を各５本充填し、５℃で１ヶ月間保存した。保存中、１週間に１回の頻度で１名の専門パネラーがポンプを押して泡を吐出させた。下記評価基準に従って平均評価点を求め、下記判定基準に従ってポンプの目詰まりのなさを評価した。なお、フォーマー容器内のメッシュに目詰まりが生じるとフォーマー容器のポンプが押しにくくなる。【００６６】
−評価基準−
５点：  ポンプを非常にスムーズに押すことができる。
４点：  ポンプをスムーズに押すことができる。
３点：  ポンプを押すことができる。
２点：  ポンプを押すことがややできない。
１点：  ポンプを押すことができない。【００６７】
−判定基準−                                       
◎  ：  ４．０点以上５．０点以下
○  ：  ３．０点以上４．０点未満
△  ：  ２．０点以上３．０点未満
×  ：  ２．０点未満【００６８】
【表１−１】
0006534382.tif 000004
【００６９】
【表１−２】
0006534382.tif 000005
【００７０】
【表１−３】
0006534382.tif 000006
【００７１】
【表１−４】
0006534382.tif 000007
【００７２】
【表１−５】
0006534382.tif 000008
【００７３】
【表１−６】
0006534382.tif 000009
【００７４】
【表１−７】
0006534382.tif 000010
【００７５】
（実施例３６）
−手指用フォーマー容器入り液体洗浄剤組成物−
以下に示す組成及び含有量の手指用フォーマー容器入り液体洗浄剤組成物を常法により作製した。作製した手指用フォーマー容器入り液体洗浄剤組成物について、実施例１〜３５、及び比較例１〜１４と同様にして、「泡の弾力性」、「泡の持続性」、「すすぎ後のさっぱり感」、「すすぎ後の肌のかさつきのなさ」、及び「ポンプの目詰まりのなさ」の評価を行った。結果を下記に示す。【００７６】
［組成及び含有量］
・ラウリン酸カリウム（（Ａ）成分）：７．２質量％
・ミリスチン酸カリウム（（Ａ）成分）：４．８質量％
・ラウリルアミノプロピオン酸ナトリウム（（Ｂ）成分）：８．０質量％
・ラウリルジメチルアミノ酢酸ベタイン（（Ｃ）成分）：２．５質量％
・プロピレングリコール（（Ｄ）成分）：３０質量％
・イソプロピルメチルフェノール：０．１質量％
・エデト酸：０．１質量％
・メチルパラベン：０．３質量％
・安息香酸ナトリウム：０．９質量％
・マルベリーエキス：０．００１質量％
・水酸化カリウム：適量
・精製水：残量（合計：１００．０質量％）
・質量比（Ｂ／Ｃ）＝３．２
［評価結果］
・泡の弾力性：◎
・泡の持続性：◎
・すすぎ後のさっぱり感：◎
・すすぎ後の肌のかさつきのなさ：◎
・ポンプの目詰まりのなさ：◎【００７７】
（実施例３７）
−身体用フォーマー容器入り液体洗浄剤組成物−
以下に示す組成及び含有量の身体用フォーマー容器入り液体洗浄剤組成物を常法により作製した。作製した身体用フォーマー容器入り液体洗浄剤組成物について、実施例１〜３５、及び比較例１〜１４と同様にして、「泡の弾力性」、「泡の持続性」、「すすぎ後のさっぱり感」、「すすぎ後の肌のかさつきのなさ」、及び「ポンプの目詰まりのなさ」の評価を行った。結果を下記に示す。【００７８】
［組成及び含有量］
・ラウリン酸カリウム（（Ａ）成分）：８．０質量％
・ミリスチン酸カリウム（（Ａ）成分）：４．０質量％
・ラウリルアミノプロピオン酸ナトリウム（（Ｂ）成分）：８．０質量％
・ラウリルジメチルアミノ酢酸ベタイン（（Ｃ）成分）：２．５質量％
・プロピレングリコール（（Ｄ）成分）：３０質量％
・イソプロピルメチルフェノール：０．１質量％
・エデト酸：０．１質量％
・メチルパラベン：０．３質量％
・安息香酸ナトリウム：０．９質量％
・マルベリーエキス：０．００１質量％
・水酸化カリウム：適量
・精製水：残量（合計：１００．０質量％）
・質量比（Ｂ／Ｃ）＝３．２
［評価結果］
・泡の弾力性：◎
・泡の持続性：◎
・すすぎ後のさっぱり感：◎
・すすぎ後の肌のかさつきのなさ：◎
・ポンプの目詰まりのなさ：◎【００７９】
（実施例３８）
−抗炎症剤配合身体用フォーマー容器入り液体洗浄剤組成物−
以下に示す組成及び含有量の抗炎症剤配合身体用フォーマー容器入り液体洗浄剤組成物を常法により作製した。作製した抗炎症剤配合身体用フォーマー容器入り液体洗浄剤組成物について、実施例１〜３５、及び比較例１〜１４と同様にして、「泡の弾力性」、「泡の持続性」、「すすぎ後のさっぱり感」、「すすぎ後の肌のかさつきのなさ」、及び「ポンプの目詰まりのなさ」の評価を行った。結果を下記に示す。【００８０】
［組成及び含有量］
・ラウリン酸カリウム（（Ａ）成分）：６．０質量％
・ミリスチン酸カリウム（（Ａ）成分）：６．０質量％
・ラウリルアミノプロピオン酸ナトリウム（（Ｂ）成分）：５．０質量％
・ラウリルジメチルアミノ酢酸ベタイン（（Ｃ）成分）：２．０質量％
・プロピレングリコール（（Ｄ）成分）：３０質量％
・イソプロピルメチルフェノール：０．１質量％
・エデト酸：０．１質量％
・メチルパラベン：０．３質量％
・安息香酸ナトリウム：０．９質量％
・マルベリーエキス：０．００１質量％
・ハチミツ：０．１質量％
・グリチルリチン酸ジカリウム：０．１質量％
・水酸化カリウム：適量
・精製水：残量（合計：１００．０質量％）
・質量比（Ｂ／Ｃ）＝２．５
［評価結果］
・泡の弾力性：◎
・泡の持続性：◎
・すすぎ後のさっぱり感：◎
・すすぎ後の肌のかさつきのなさ：◎
・ポンプの目詰まりのなさ：◎【００８１】
なお、前記実施例及び前記比較例で使用した各種成分の詳細について、下記表２に示す。【００８２】
【表２】
0006534382.tif 000011
＊１:（Ａ）成分のラウリン酸カリウムは、ラウリン酸（ＮＡＡ−１２２、日油株式会社製）を、水酸化カリウム（旭硝子株式会社製、液体苛性カリ）で中和させて調製した。
（Ａ）成分のミリスチン酸カリウムは、ミリスチン酸（ＮＡＡ−１４２、日油株式会社製）を、水酸化カリウム（旭硝子株式会社製、液体苛性カリ）で中和させて調製した。
（Ａ）成分のパルミチン酸カリウムは、パルミチン酸（ＮＡＡ−１６０、日油株式会社製）を、水酸化カリウム（旭硝子株式会社製、液体苛性カリ）で中和させて調製した。
＊２:（  ）内の数字は、エチレン平均付加モル数を表す。
【産業上の利用可能性】
【００８３】
本発明のフォーマー容器入り液体洗浄剤組成物は、泡の弾力性と泡の持続性が良好であり、フォーマー容器のポンプが目詰まりしにくく、すすぎ後の肌がかさつかず、すすぎ後にさっぱり感が得られるので、例えば、ボディソープ、ハンドソープ、泡ハンドソープ、クレンジングフォーム、洗顔フォームなどに幅広く用いることができる。